(57)【要約】【課題】撮影台において放射線画像検出器の充電やデータ転送を行う場合でも、ケーブルやコネクタが撮影の障害とならず、撮影箇所も限定されないようにする。【解決手段】被検体１９を載置するための放射線を透過する天板１２の下部に、電子カセッテ２０を略全面で移動可能に載置するためのカセッテ載置板１４を設ける。カセッテ載置板１４の角部には、電子カセッテ２０の充電または通信を行うために、電源またはコンソールと接続するためのコネクタ１６が設けられており、カセッテ載置板１４上で電子カセッテ２０をコネクタ１６の位置まで移動させてコネクタ１６と電子カセッテ２０のカセッテ接続部２２とを接続することにより、電源またはコンソールとの接続を可能にする。【選択図】図１
2010075454.tif 000002
【特許請求の範囲】
【請求項１】
被検体を載置するための放射線を透過する被検体載置板と、
前記被検体及び前記被検体載置板を透過した放射線を検出し検出した放射線に応じた画像を生成する放射線画像検出器を移動可能に載置するために、前記被検体載置板の下部に配置された検出器載置板と、
前記検出器載置板に載置された前記放射線画像検出器の充電、及び前記放射線画像検出器と外部装置との間の通信の少なくとも一方を行うために、前記放射線画像検出器と接続可能に前記検出器載置板に設けられた接続手段と、
を含む放射線画像撮影台。
【請求項２】
前記検出器載置板上に移動可能に載置された、前記放射線画像検出器を載置するためのトレイを含む請求項１記載の放射線画像撮影台。
【請求項３】
前記トレイに、前記放射線画像検出器と前記接続手段とを接続するためのトレイ接続部を設けた請求項２記載の放射線画像撮影台。
【請求項４】
前記トレイを、前記検出器載置板の長辺方向または短辺方向の一方に沿って配置された１対の第１の軌道に沿って移動可能に配置された１対の第２の軌道に沿って前記検出器載置板の長辺方向または短辺方向の他方に移動可能に設けた請求項２または請求項３記載の放射線画像撮影台。
【請求項５】
前記第１の軌道及び前記第２の軌道を導電部材で形成されたレールで構成し、前記第１の軌道及び前記第２の軌道を介して、前記放射線画像検出器を充電するか、または前記放射線画像検出器と外部装置との間で通信を行うようにした請求項４記載の放射線画像撮影台。
【請求項６】
被検体を載置するための放射線を透過する被検体載置板と、
前記被検体及び前記被検体載置板を透過した放射線を検出し検出した放射線に応じた画像を生成する放射線画像検出器を移動可能に載置するために、前記被検体載置板の下部に配置された検出器載置板と、
前記検出器載置板の長辺方向または短辺方向の一方に沿って配置された１対の第１のレールに沿って移動可能に配置された１対の第２のレールに沿って前記検出器載置板の長辺方向または短辺方向の他方に移動可能に設けたトレイと、を含み、
前記第１のレール及び前記第２のレールを導電部材で形成し、前記第１のレール及び前記第２のレールを介して、前記放射線画像検出器を充電するか、または前記放射線画像検出器と外部装置との間で通信を行うようにした放射線画像撮影台。
【請求項７】
前記トレイの表面に放射線吸収部材を設けた請求項２〜請求項６のいずれか１項記載の放射線画像撮影台。
【請求項８】
前記検出器載置板の内部または下部に、内蔵された充電池を充電する電力を受電するために前記放射線画像検出器に備えられた受電手段に電磁誘導により非接触で電力を供給する電力供給手段を設けた請求項１〜請求項７のいずれか１項記載の放射線画像撮影台。
【請求項９】
被検体を載置するための放射線を透過する被検体載置板と、
前記被検体及び前記被検体載置板を透過した放射線を検出し検出した放射線に応じた画像を生成する放射線画像検出器を移動可能に載置するために、前記被検体載置板の下部に配置された検出器載置板と、
前記検出器載置板の内部または下部に設けられ、内蔵された充電池を充電する電力を受電するために前記放射線画像検出器に備えられた受電手段に電磁誘導により非接触で電力を供給する電力供給手段と、
を含む放射線画像撮影台。
【請求項１０】
前記検出器載置板の表面に放射線吸収部材を設けた請求項１〜請求項９のいずれか１項記載の放射線画像撮影台。
【発明の詳細な説明】
【技術分野】
【０００１】
本発明は放射線画像撮影台に係り、特に、可搬性を有する放射線画像検出器を用いた撮影の際に使用される放射線画像撮影台に関する。
【背景技術】
【０００２】
近年、ＴＦＴ（Thin film transistor）アクティブマトリクス基板上にＸ線感応層を配置し、Ｘ線を直接デジタルデータに変換できるＦＰＤ（flat panel detector）が実用化されており、このＦＰＤ等を用いて被検体を透過して照射された放射線により表わされる放射線画像を示す画像データを生成し、生成した画像データを記憶する可搬型放射線画像検出装置（以下「電子カセッテ」ともいう）が実用化されている。
【０００３】
この電子カセッテは、可搬性を有するため、ストレッチャーやベッドに被検体を載せたまま撮影することもでき、電子カセッテの位置を変更することにより撮影箇所を調整することができるため、例えば被検体が動けない患者である場合にも、柔軟に対処することができる。
【０００４】
このような可搬性を有する電子カセッテには、撮影した画像の画像データを記憶するメモリやバッテリが内蔵されており、専用のカセッテスタンドに電子カセッテを挿入して、画像データを外部装置であるコンソールへ転送したり、内蔵されたバッテリを充電したりすることが行われている（例えば、特許文献１参照）。しかし、ベッドで使用した電子カセッテを充電や画像データの転送の都度、カセッテスタンドまで運ばなければならないのは、特にベッドとカセッテスタンドとが離れた場所に置かれている場合などには不便である。
【０００５】
そこで、端部に外部装置と接続するためのコネクタを設けたケーブルを電子カセッテに設け、ベッドと人体との間に電子カセッテを挿入した場合でも、コネクタ部が人体から突出するようにすることにより、ベッドで使用中の電子カセッテと外部装置との接続を容易にする電子カセッテが提案されている（例えば、特許文献２参照）。
【０００６】
また、ベッドの天板の下にカセット挿入位置を設けたＸ線撮影装置が提案されている（例えば、特許文献３参照）。
【特許文献１】特開２０００−２０６６３６号公報
【特許文献２】特開２００４−１７３９０７号公報
【特許文献３】特開２００４-１６０２６３号公報
【発明の開示】
【発明が解決しようとする課題】
【０００７】
しかし、特許文献２の電子カセッテでは、ベッドと被検者との間に電子カセッテを挿入するため、被検者に不快感を与える。また、ケーブルやコネクタがベッド上にあるためベッドに被検者が載る際や取扱者が電子カセッテを取り扱う際にケーブルやコネクタが邪魔になったり、ケーブルの長さによっては撮影可能な箇所が限られたりする、という問題がある。
【０００８】
また、特許文献３のＸ線撮影装置では、カセットの挿入位置は固定であり、撮影可能箇所が限定されてしまう、という問題がある。
【０００９】
本発明は、撮影台において放射線画像検出器の充電やデータ転送を行う場合でも、ケーブルやコネクタが撮影の障害とならず、撮影箇所も限定されない放射線画像撮影台を提供することを目的とする。
【課題を解決するための手段】
【００１０】
上記目的を達成するために、本発明に係る放射線画像撮影台は、被検体を載置するための放射線を透過する被検体載置板と、前記被検体及び前記被検体載置板を透過した放射線を検出し検出した放射線に応じた画像を生成する放射線画像検出器を移動可能に載置するために、前記被検体載置板の下部に配置された検出器載置板と、前記検出器載置板に載置された前記放射線画像検出器の充電、及び前記放射線画像検出器と外部装置との間の通信の少なくとも一方を行うために、前記放射線画像検出器と接続可能に前記検出器載置板に設けられた接続手段とを含んで構成されている。
【００１１】
本発明の放射線画像撮影台によれば、被検体載置板に被検体を載置し、被検体載置板の下部に配置された検出器載置板に、被検体及び被検体載置板を透過した放射線を検出し検出した放射線に応じた画像を生成する放射線画像検出器を移動可能に載置する。そして、検出器載置板に設けられた検出器載置板に載置された放射線画像検出器の充電、及び放射線画像検出器と外部装置との間の通信の少なくとも一方を行うために、放射線画像検出器と接続可能な接続手段と放射線画像検出器とを接続する。
【００１２】
このように、放射線画像検出器の充電及び放射線画像検出器と外部装置との間の通信を、放射線画像撮影台に放射線画像検出器を置いたまま行うことができ、充電及び通信のために必要な接続手段は、検出器載置板に設けられているため、ケーブルやコネクタが被検体載置板上または放射線画像撮影台の側面に突出しておらず、ケーブルやコネクタが撮影の障害とならない。また、放射線画像検出器は、被検体載置板上の被検体の位置に合わせて検出器載置板上の略全面で移動可能であり、撮影箇所も限定されない。さらに、被検体載置板と被検体との間に放射線画像検出器を挿入する必要もないため、被検体への負担もない。
【００１３】
また、本発明に係る放射線画像撮影台を、前記検出器載置板上に移動可能に載置された、前記放射線画像検出器を載置するためのトレイを含んで構成することができる。
【００１４】
また、前記トレイに、前記放射線画像検出器と前記接続手段とを接続するためのトレイ接続部を設けるようにすることができる。これにより、トレイに放射線画像検出器を載置したままで接続手段と放射線画像検出器とを接続することができる。
【００１５】
また、前記トレイを、前記検出器載置板の長辺方向または短辺方向の一方に沿って配置された１対の第１の軌道に沿って移動可能に配置された１対の第２の軌道に沿って前記検出器載置板の長辺方向または短辺方向の他方に移動可能に設けるようにすることができる。レールや溝部で軌道を構成することができ、このように構成することにより、トレイに載置された放射線画像検出器の移動をより容易に行うことができる。
【００１６】
また、前記第１の軌道及び前記第２の軌道を導電部材で形成されたレールで構成し、前記第１の軌道及び前記第２の軌道を介して、前記放射線画像検出器を充電するか、または前記放射線画像検出器と外部装置との間で通信を行うようにすることができる。これにより、所定箇所に設けられた接続手段の位置までトレイを移動させなくても、トレイに載置された放射線画像検出器の充電または通信を行うことができ、利便性が向上する。
【００１７】
また、本発明の放射線画像撮影台は、被検体を載置するための放射線を透過する被検体載置板と、前記被検体及び前記被検体載置板を透過した放射線を検出し検出した放射線に応じた画像を生成する放射線画像検出器を移動可能に載置するために、前記被検体載置板の下部に配置された検出器載置板と、前記検出器載置板の長辺方向または短辺方向の一方に沿って配置された１対の第１のレールに沿って移動可能に配置された１対の第２のレールに沿って前記検出器載置板の長辺方向または短辺方向の他方に移動可能に設けたトレイとを含んで構成され、前記第１のレール及び前記第２のレールを導電部材で形成し、前記第１のレール及び前記第２のレールを介して、前記放射線画像検出器を充電するか、または前記放射線画像検出器と外部装置との間で通信を行うようにすることができる。
【００１８】
また、前記トレイの表面に放射線吸収部材を設けることができる。これにより、放射線画像検出器に放射線吸収部材を設ける必要がなく、放射線画像検出器自体を軽量化することができる。
【００１９】
また、前記検出器載置板の内部または下部に、内蔵された充電池を充電する電力を受電するために前記放射線画像検出器に備えられた受電手段に電磁誘導により非接触で電力を供給する電力供給手段を設けることができる。これにより、充電の際に電子カセッテを接続手段に接続する必要がなく、利便性が向上する。
【００２０】
また、本発明の放射線画像撮影台は、被検体を載置するための放射線を透過する被検体載置板と、前記被検体及び前記被検体載置板を透過した放射線を検出し検出した放射線に応じた画像を生成する放射線画像検出器を移動可能に載置するために、前記被検体載置板の下部に配置された検出器載置板と、前記検出器載置板の内部または下部に設けられ、内蔵された充電池を充電する電力を受電するために前記放射線画像検出器に備えられた受電手段に電磁誘導により非接触で電力を供給する電力供給手段とを含んで構成することができる。
【００２１】
また、前記検出器載置板の表面に放射線吸収部材を設けるようにすることができる。前記トレイを設けない構成においては、検出器載置板の表面に放射線吸収部材を設けることにより、トレイに放射線吸収部材を設けた場合と同様に、放射線画像検出器自体を軽量化することができる。
【発明の効果】
【００２２】
以上説明したように、本発明の放射線画像撮影台によれば、撮影台において放射線画像検出器の充電やデータ転送を行う場合でも、ケーブルやコネクタが撮影の障害とならず、撮影箇所も限定されない、という効果が得られる。
【発明を実施するための最良の形態】
【００２３】
以下、図面を参照して本発明の実施の形態について詳細に説明する。
【００２４】
図１に示すように、第１の実施の形態に係る放射線画像撮影台１０は、放射線画像の撮影時には、後述する天板１２上に被検体１９が載置される。放射線画像の撮影が指示されると、エックス線（Ｘ線）等の放射線を発生する放射線発生部１８は予め与えられた撮影条件等に応じた放射線量の放射線を射出する。放射線発生部１８から射出された放射線は、撮影位置に位置している被検体１９を透過することで画像情報を担持した状態で、天板１２を透過し、後述するカセッテ載置板１４に載置された可搬性放射線画像検出装置（以下、「電子カセッテ」という）２０に照射される。これにより、電子カセッテ２０において、放射線画像が検出される。
【００２５】
なお、電子カセッテ２０としては、例えばアモルファスセレン等の放射線−電荷変換材料を用いて放射線を電荷へ直接変換する直接変換型の電子カセッテ、及び、例えばガドリニウム硫酸化物(ＧＯＳ)やヨウ化セシウム(ＣｓＩ)等の蛍光体材料によって放射線−光変換を行い、フォトダイオード等の光電変換素子によって光−電荷変換を行うことで、放射線を間接的に電荷へ変換する間接変換型の電子カセッテのいずれも使用することができる。
【００２６】
放射線画像撮影台１０は、被検体１９を載置するための放射線を透過する天板１２、天板１２の下部に設けられ、電子カセッテ２０を載置するためのカセッテ載置板１４、及びカセッテ載置板１４に設けられ、電子カセッテ２０の充電及びデータ転送を行うための接続を可能とするコネクタ１６を備えている。天板１２とカセッテ載置板１４とは略同一形状であり、カセッテ載置板１４を１階、天板１２を２階とする２階建構造となっている。
【００２７】
天板１２は、被検体１９を載置可能な強度を有し、放射線を透過する材質からなる。天板１２としては、例えば、アクリル板、カーボン板、木材等もしくはそれらの複合材を用いることができる。
【００２８】
カセッテ載置板１４は、略全面が電子カセッテ２０を載置可能な領域となっており、天板１２上に載置された被検体１９の位置に対応した位置に電子カセッテ２０を載置することができる。また、カセッテ載置板１４の上面には、放射線吸収部材としての鉛板が貼り付けられており、電子カセッテ２０における放射線のバック散乱線を吸収する。このようにカセッテ載置板１４の上面に鉛板を設けることにより、電子カセッテ２０に設けられている鉛板を省略することができるため、電子カセッテ２０自体の軽量化が図れる。
【００２９】
天板１２とカセッテ載置板１４との間隙はできるだけ狭い方が好ましい。天板１２とカセッテ載置板１４との間隔が広がるほど、被検体１９と電子カセッテ２０との距離も離れることとなり、拡大撮影となってしまうからである。ただし、電子カセッテ２０の取り扱いの都合上、ある程度の間隔を空ける必要もあり、撮影画像を出力または表示する際に、天板１２とカセッテ載置板１４との間隔に応じた拡大率の逆数をかけて等倍となるような画像処理を施すようにするとよい。
【００３０】
コネクタ１６は、図２に示すように、カセッテ載置板１４の一部（例えば、角部）に設けられている。コネクタ１６は、ケーブルを介してＡＣ電源及び外部装置であるコンソールと接続されており、電子カセッテ２０に設けられたカセッテ接続部２２と接続されることにより、電子カセッテ２０とＡＣ電源及びコンソールとの接続が可能となる。
【００３１】
次に、第１の実施の形態の放射線画像撮影台１０の作用について説明する。
【００３２】
撮影時には、天板１２上に被検体１９が載置される。操作者は、電子カセッテ２０をカセッテ載置板１４上に載置し、天板１２上での被検体１９の載置位置を確認しながら、カセッテ載置板１４の対応する位置に電子カセッテ２０を移動させる。なお、天板１２上に被検体１９が載置される前に予めカセッテ載置板１４上に電子カセッテ２０を載置しておいてもよい。
【００３３】
撮影が終了すると、操作者は、コネクタ１６が設けられた位置まで電子カセッテ２０をカセッテ載置板１４上で移動させ、カセッテ接続部２２とコネクタ１６とを接続する。コネクタ１６は、ケーブルを介してＡＣ電源と接続されているため、ＡＣ電源から電力が供給されて、電子カセッテ２０内のバッテリが消費された分、充電される。また、コネクタ１６は、ケーブルを介してコンソールと接続されており、操作者の操作により画像データ転送の指示がなされると、電子カセッテ２０内に設けられたメモリに記憶された画像データがコンソールへ転送される。
【００３４】
なお、コンソールには、病院内の放射線科において取り扱われる放射線画像情報やその他の情報を統括的に管理する放射線科情報システム（ＲＩＳ：図示せず）が接続され、また、ＲＩＳには、病院内の医事情報を統括的に管理する医事情報システム（ＨＩＳ：図示せず）が接続されている。そのため、コンソールにおいて電子カセッテ２０の次の撮影に必要な消費電力を求めることができるので、その消費電力分に相当する電力を充電するように制御することができる。
【００３５】
バッテリの充電またはデータの転送が終了すると、カセッテ接続部２２とコネクタ１６との接続を解除する。電子カセッテ２０は、次の撮影に備えて、そのままカセッテ載置板１４上に載置しておく。
【００３６】
このように、第１の実施の形態に係る放射線画像撮影台によれば、充電やデータ転送を行うためのコネクタが天板下部に設けられたカセッテ載置板に設けられているため、ケーブルやコネクタが天板上やベッド側面部に設けられている場合と比べ、被検体である患者が撮影台に乗り降りする際や操作者が電子カセッテを取り扱う際に、ケーブルやコネクタが障害になることがない。また、電子カセッテをカセッテ載置板上のどこにでも載置することができるため、ケーブルの引き回しなどがなく撮影箇所も制限されない。さらに、天板と被検体との間に電子カセッテを挿入する必要がないため、被検体にかかる負担を軽減することができる。
【００３７】
次に、第２の実施の形態に係る放射線画像撮影台について説明する。なお、第１の実施の形態に係る放射線画像撮影台１０と同一の構成については、同一の符号を付して説明を省略する。
【００３８】
図３（Ａ）に示すように、第２の実施の形態に係る放射線画像撮影台２１０は、天板１２とカセッテ載置板２１４とが２階建構造となっている点において第１の実施の形態に係る放射線画像撮影台１０と共通するが、図３（Ａ）及び（Ｂ）に示すように、カセッテ載置板２１４上に電子カセッテ２０を載置するためのトレイ３０が設けられ、このトレイ３０をカセッテ載置板２１４上で移動させるための長辺方向レール３２及び短辺方向レール３４が設けられている点が異なる。
【００３９】
長辺方向レール３２は、カセッテ載置板２１４の長辺長さと略同一の長さの断面円形の棒状のものである。長辺方向レール３２は、カセッテ載置板２１４の長辺方向の端部領域の各々に固定されている。長辺方向レール３２上には、後述する第１のスライダ３６を介して、短辺方向レール３４が設けられている。
【００４０】
短辺方向レール３４は、カセッテ載置板２１４の短辺長さと略同一の長さの断面円形の棒状のものである。短辺方向レール３４は、カセッテ載置板２１４の短辺方向と平行に設けられ、後述するトレイ３０の幅に対応した間隔を隔てて１対の短辺方向レールを構成している。
【００４１】
図４に示すように、短辺方向レール３４と長辺方向レール３２とが接する短辺方向レール３４の部分には、第１のスライダ３６が固定されている。第１のスライダ３６は、半円筒形状で、その内径が長辺方向レール３２の周面に沿う形状となっている。長辺方向レール３２に第１のスライダ３６を重ね合わせて取り付けることにより、第１のスライダ３６と固定された短辺方向レール３４が長辺方向レール３２に沿ってスライド可能となる。なお、長辺方向レール３２の端部には、短辺方向レール３４のスライドを制限するためのストッパ（図示省略）が設けられている。
【００４２】
短辺方向レール３４上には、第２のスライダ３８を介して、電子カセッテ２０を載置可能なトレイ３０が設けられている。トレイ３０下面の短辺方向レール３４と接する部分には、第２のスライダ３８が固定されている。第２のスライダ３８は、半円筒形状で、その内径が短辺方向レール３４の周面に沿う形状となっている。短辺方向レール３４に第２のスライダ３８を重ね合わせて取り付けることにより、第２のスライダ３８と固定されたトレイ３０が短辺方向レール３４に沿ってスライド可能となる。なお、短辺方向レール３４の端部には、トレイ３０のスライドを制限するためのストッパ（図示省略）が設けられている。
【００４３】
また、図５に示すように、トレイ３０は、一部（例えば、角部）にトレイ接続部４０を備えており、トレイ接続部４０にカセッテ接続部２２部分が挿入される構成となっている。トレイ接続部４０のトレイ内部側は、電子カセッテ２０のカセッテ接続部２２と接続可能となっており、トレイ接続部４０のトレイ外部側は、カセッテ載置板１４に設けられたコネクタ２１６と接続可能となっている。なお、コネクタ２１６は、ケーブルを介してＡＣ電源及びコンソールと接続されている。これにより、カセッテ接続部２２をトレイ接続部４０に接続した状態で、トレイ接続部４０をコネクタ２１６に接続することで、電子カセッテ２０とＡＣ電源及びコンソールとの接続が可能となる。
【００４４】
また、トレイ３０の電子カセッテ２０が載置される内面には、放射線吸収部材としての鉛板が貼り付けられており、電子カセッテ２０における放射線のバック散乱線を吸収する。このようにトレイ３０の内面に鉛板を設けることにより、電子カセッテ２０に設けられている鉛板を省略することができるため、電子カセッテ２０自体の軽量化が図れる。また、第１の実施の形態の放射線画像撮影台のように、カセッテ載置板の全面に鉛板を設ける場合に比べて、コストを削減できる。
【００４５】
次に、第２の実施の形態の放射線画像撮影台２１０の作用について説明する。
【００４６】
撮影時には、天板１２上に被検体１９が載置される。操作者は、電子カセッテ２０をトレイ３０上に載置し、天板１２上での被検体１９の載置位置を確認しながら、カセッテ載置板２１４の対応する位置に電子カセッテ２０が載置されたトレイ３０を移動させる。この際、カセッテ載置板２１４の短辺方向への移動は、トレイ３０を短辺方向レール３４に沿ってスライドさせることにより行い、長辺方向への移動は、トレイ３０が固定された短辺方向レール３４を長辺方向レール３２に沿ってスライドさせることにより行う。
【００４７】
なお、天板１２上に被検体１９が載置される前に予めトレイ３０上に電子カセッテ２０を載置しておいてもよい。また、電子カセッテ２０をトレイに載置する際に、カセッテ接続部２２とトレイ接続部４０とが接続されるように載置しておいてもよい。
【００４８】
撮影が終了すると、操作者は、コネクタ２１６が設けられた位置まで電子カセッテ２０が載置されたトレイ３０を移動させる。この段階で、カセッテ接続部２２とトレイ接続部４０とが接続されていない場合には、カセッテ接続部２２とトレイ接続部４０とを接続してから、トレイ接続部４０とコネクタ２１６とを接続する。コネクタ２１６は、ケーブルを介してＡＣ電源と接続されており、ＡＣ電源から電力が供給されて、トレイ接続部４０を介して電子カセッテ２０内のバッテリが消費された分、充電される。また、コネクタ２１６は、ケーブルを介してコンソールと接続されており、操作者の操作により画像データ転送の指示がなされると、電子カセッテ２０内に設けられたメモリに記憶された画像データがトレイ接続部４０を介してコンソールへ転送される。
【００４９】
バッテリの充電またはデータの転送が終了すると、トレイ接続部４０とコネクタ２１６との接続を解除する。電子カセッテ２０は、次の撮影に備えて、そのままトレイ３０上に載置しておく。
【００５０】
なお、コンソールには、病院内の放射線科において取り扱われる放射線画像情報やその他の情報を統括的に管理する放射線科情報システム（ＲＩＳ：図示せず）が接続され、また、ＲＩＳには、病院内の医事情報を統括的に管理する医事情報システム（ＨＩＳ：図示せず）が接続されている。そのため、コンソールにおいて電子カセッテ２０の次の撮影に必要な消費電力を求めることができるので、その消費電力分に相当する電力を充電するように制御することができる。
【００５１】
このように、第２の実施の形態に係る放射線画像撮影台によれば、長辺方向レール及び短辺方向レールに沿ってトレイを移動させることにより、トレイに載置した電子カセッテを移動させることができ、また、トレイにカセッテ接続部とコネクタとを接続するためのトレイ接続部を設けたことにより、トレイに電子カセッテを載置したままで、コネクタと電子カセッテとの接続が可能であり、電子カセッテの取り扱いが容易になる。
【００５２】
なお、第２の実施の形態では、長辺方向レール及び短辺方向レールを断面円形の棒状のものとしたが、これに限定されず、断面矩形や断面三角形の棒状のものとしてもよい。この場合、第１のスライダ及び第２のスライダの形状も、レールの断面形状に対応した形状とする。
【００５３】
また、第２の実施の形態では、長辺方向レールをカセッテ載置板に固定する場合について説明したが、短辺方向レールをカセッテ載置板の短辺端部領域に固定で設け、短辺方向レールの上に第１のスライダを介して長辺方向レールを設ける構成としてもよい。この場合、電子カセッテを長辺方向へ移動させるには、トレイを長辺方向レールに沿ってスライドさせ、電子カセッテを短辺方向へ移動させるには、トレイが固定された長辺方向レールごと短辺方向レールに沿って移動させる。
【００５４】
さらに、トレイ３０に、電子カセッテ２０にて撮影された被検体１９の放射線画像の補正処理機能や画像処理機能を有する画像処理基板を配置することにより、該機能を電子カセッテ内に配置する必要がなくなるため、電子カセッテ２０は放射線画像を撮影する機能だけを有することができ、さらなる小型化・軽量化を達成することができる。
【００５５】
次に、第２の実施の形態の変形例について説明する。
【００５６】
図６に示すように、第２の実施の形態の変形例に係る放射線画像撮影台２２１０は、トレイ２３０を移動させるための軌道として、レールではなく溝部を形成したものである。
【００５７】
カセッテ載置板２２１４の長辺方向の端部領域には、カセッテ載置板２２１４の長辺長さと略同一の長さの長辺方向溝２３２が形成されている。
【００５８】
また、カセッテ載置板２２１４上には、カセッテ載置板２２１４の短辺長さと略同一の長さで、トレイ３０を載置可能な幅を有する短辺方向板２３３が設けられている。短辺方向板２３３下面には、図６（Ｂ）に示すように、長辺方向溝２３２に対応する位置に第１のスライダ２３６が設けられている。第１のスライダ２３６は、円柱状のコロで構成することができ、コロが長辺方向溝２３２内を摺動することにより、短辺方向板２３３が長辺方向溝２３２に沿ってスライド可能となる。
【００５９】
また、短辺方向板２３３上面のカセッテ載置板２２１４短辺方向に対応する端部領域には、カセッテ載置板２２１４の短辺長さと略同一の長さ（短辺方向板２３３の長辺長さと略同一の長さ）の短辺方向溝２３４が形成されている。そして、トレイ３０には、この短辺方向溝２３４に対応する位置に第２のスライダ２３８が設けられている。第２のスライダ２３８は、円柱状のコロで構成することができ、コロが短辺方向溝２３４内を摺動することにより、トレイ２３０が短辺方向溝２３４に沿ってスライド可能となる。
【００６０】
このように、本変形例においても、電子カセッテの取り扱いを容易にすることができる。
【００６１】
次に、第３の実施の形態に係る放射線画像撮影台について説明する。なお、第１及び第２の実施の形態に係る放射線画像撮影台と同一の構成については、同一の符号を付して説明を省略する。
【００６２】
図７に示すように、第３の実施の形態に係る放射線画像撮影台３１０は、天板１２とカセッテ載置板２１４とが２階建構造で、カセッテ載置板２１４上にトレイ３３０、長辺方向レール３３２及び短辺方向レール３３４が設けられている点が第２の実施の形態に係る放射線画像撮影台２１０と共通するが、この長辺方向レール３３２及び短辺方向レール３３４が、電力供給線またはデータ線を兼ねる点が異なる。
【００６３】
長辺方向レール３３２、短辺方向レール３３４ｂ、短辺方向レール３３４ｂに対応する第１のスライダ及び第２のスライダ（図示省略）、並びにトレイ接続部３４０は、導電性の部材で形成されている。第２のスライダは、トレイ３３０のトレイ接続部３４０と接触する位置に固定される。また、カセッテ載置板２１４下面には、ＡＣ電源に接続された電源装置５０が備えられており、電源装置５０と長辺方向レールの各々とが配線５２を介して接続されている。
【００６４】
電源装置５０からの電力は、トレイ接続部３４０とカセッテ接続部２２とが接続されている場合に、長辺方向レール３３２、第１のスライダ、短辺方向レール３３４ｂ、第２のスライダ、及びトレイ接続部３４０を介して、電子カセッテ２０に供給される。
【００６５】
次に、第３の実施の形態の放射線画像撮影台３１０の作用について説明する。
【００６６】
撮影時には、天板１２上に被検体１９が載置される。操作者は、電子カセッテ２０をトレイ３３０上に載置する。この際、カセッテ接続部２２とトレイ接続部３４０とは接続しない。そして、天板１２上での被検体１９の載置位置を確認しながら、カセッテ載置板２１４の対応する位置に電子カセッテ２０が載置されたトレイ３３０を移動させる。この際、カセッテ載置板２１４の短辺方向への移動は、トレイ３３０を短辺方向レール３３４に沿ってスライドさせることにより行い、長辺方向への移動は、トレイ３３０が固定された短辺方向レール３３４を長辺方向レール３３２に沿ってスライドさせることにより行う。
【００６７】
撮影が終了すると、トレイ３３０の位置はそのままで、または、操作者が取り扱いやすい位置までトレイ３３０を移動させた状態で、カセッテ接続部２２とトレイ接続部３４０とを接続させる。これにより、長辺方向レール３３２、第１のスライダ、短辺方向レール３３４ｂ、第２のスライダ、及びトレイ接続部３４０を介して、電源装置５０から消費された電力が供給される。
【００６８】
なお、長辺方向レール３３２を、電源装置５０ではなくコンソールに接続した場合には、カセッテ接続部２２とトレイ接続部３４０とを接続することにより、電子カセッテ２０内に設けられたメモリに記憶された画像データがトレイ接続部４０を介してコンソールへ転送される。
【００６９】
バッテリの充電またはデータの転送が終了すると、カセッテ接続部２２とトレイ接続部４０との接続を解除する。電子カセッテ２０は、次の撮影に備えて、そのままトレイ３０上に載置しておく。
【００７０】
なお、コンソールには、病院内の放射線科において取り扱われる放射線画像情報やその他の情報を統括的に管理する放射線科情報システム（ＲＩＳ：図示せず）が接続され、また、ＲＩＳには、病院内の医事情報を統括的に管理する医事情報システム（ＨＩＳ：図示せず）が接続されている。そのため、コンソールにおいて電子カセッテ２０の次の撮影に必要な消費電力を求めることができるので、その消費電力分に相当する電力を充電するように制御することができる。
【００７１】
このように、第３の実施の形態に係る放射線画像撮影台によれば、所定箇所に設けられたコネクタの位置までトレイを移動させることなく、電子カセッテの充電及びデータ転送を行うことができるため、利便性が向上する。
【００７２】
なお、第３の実施の形態では、短辺方向レール３３４ｂを導電性の部材とする場合について説明したが、これは、トレイ接続部３４０が短辺方向レール３３４ｂ側に設けられた構成であることを考慮して、トレイ接続部３４０、第２のスライダ、及び短辺方向レールの接続構成を簡略にするためのものである。短辺方向レール３３４ａを導電性の部材として、トレイ３３０背面にトレイ接続部３４０と第２のスライダとの配線を設けるなどの構成としてもよい。
【００７３】
また、レールを介して電子カセッテの充電及び外部装置との通信を行うことができるため、第１及び第２の実施の形態で設けられていたコネクタを設ける必要はないが、レールを介して充電及び通信を行う場合と、トレイをコネクタに接続して充電及び通信を行う場合の両方を行うことができるように、コネクタもあわせて設けるようにしてもよい。両方を行うことができるようにすることにより、様々なタイプの電子カセッテに対応することができる。
【００７４】
次に、第４の実施の形態に係る放射線画像撮影台について説明する。なお、第１〜第３の実施の形態に係る放射線画像撮影台と同一の構成部分については、同一の符号を付して説明を省略する。
【００７５】
図８に示すように、第４の実施の形態に係る放射線画像撮影台４１０は、カセッテ載置板４１４の内部に電子カセッテのバッテリを非接触充電するための１次コイルとして機能する送電コイル６０が設けられている。送電コイル６０は、ＡＣ電源に接続されている。なお、送電コイル６０は、カセッテ載置板４１４内部ではなく、カセッテ載置板４１４下面に設けてもよい。
【００７６】
電子カセッテ４２０には、２次コイルとして機能する受電コイル２４、受電コイル２４で生じた起電力を整流する充電回路２６、及びバッテリ２８が設けられている。
【００７７】
次に、第４の実施の形態の放射線画像撮影台４１０の作用について説明する。
【００７８】
撮影時には、天板１２上に被検体１９が載置される。操作者は、電子カセッテ４２０をトレイ４３０上に載置して、天板１２上での被検体１９の載置位置を確認しながら、カセッテ載置板４１４の対応する位置に電子カセッテ４２０が載置されたトレイ４３０を移動させる。この際、カセッテ載置板４１４の短辺方向への移動は、トレイ４３０を短辺方向レール３４に沿ってスライドさせることにより行い、長辺方向への移動は、トレイ４３０が固定された短辺方向レール３４を長辺方向レール３２に沿ってスライドさせることにより行う。
【００７９】
撮影が終了すると、トレイ４３０を送電コイル６０が設けられた充電位置へ移動させる。ＡＣ電圧が印加された送電コイル６０から電磁誘導作用により磁界が発生し、この磁界に誘導されて受電コイル２４に生じた起電力を充電回路２６で整流して、バッテリ２８を充電する。バッテリ２８の充電が終了すると、トレイ４３０を充電位置から移動させる。
【００８０】
このように、第４の実施の形態に係る放射線画像撮影台によれば、非接触充電により電子カセッテのバッテリを充電することができるため、充電の際に、コネクタに接続する必要がなく、利便性が向上する。
【００８１】
なお、第４の実施の形態では、非接触充電により電子カセッテの充電を行うことができるため、第１及び第２の実施の形態で設けられていたコネクタに接続して充電を行う必要はないが、外部装置との通信を行うために、または非接触充電とコネクタに接続しての有線での充電とを併用できるようにするために、コネクタもあわせて設けるようにしてもよい。コネクタも設けることにより、様々なタイプの電子カセッテに対応することができる。
【図面の簡単な説明】
【００８２】
【図１】第１の実施の形態に係る放射線画像撮影台の概略を示す側面図である。
【図２】第１の実施の形態に係る放射線画像撮影台のコネクタ部分を示す概略図である。
【図３】第２の実施の形態に係る放射線画像撮影台の概略を示す（Ａ）斜視図、及び（Ｂ）カセッテ載置板部分の平面図である。
【図４】第２の実施の形態に係る放射線画像撮影台のトレイ部分を示す側面図である。
【図５】第２の実施の形態に係る放射線画像撮影台のトレイ接続部部分を示す概略図である。
【図６】第２の実施の形態に係る放射線画像撮影台の変形例を示す（Ａ）カセット載置板部分の平面図、及び（Ｂ）トレイ部分の側面図である。
【図７】第３の実施の形態に係る放射線画像撮影台の概略を示す（Ａ）側面図、及び（Ｂ）カセット載置板部分の平面図である。
【図８】第４の実施の形態に係る放射線画像撮影台の送電コイル部分を示す側面図である。
【符号の説明】
【００８３】
１０、２１０、３１０、４１０、２２１０    放射線画像撮影台
１２   天板
１４、２１４、３１４、４１４、２２１４    カセッテ載置板
１６、２１６  コネクタ
２０、４２０  電子カセッテ
２２、 カセッテ接続部
３０、２３０、３３０、４３０  トレイ
３２、３３２  長辺方向レール
３４、３３４  短辺方向レール
４０、３４０  トレイ接続部
【図１】
2010075454.tif 000003
【図２】
2010075454.tif 000004
【図３】
2010075454.tif 000005
【図４】
2010075454.tif 000006
【図５】
2010075454.tif 000007
【図６】
2010075454.tif 000008
【図７】
2010075454.tif 000009
【図８】
2010075454.tif 000010